【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】    【請求項１】  送られた情報を格納する第１の記憶領域と、  送られた情報を格納する第２の記憶領域と、  前記第１の記憶領域を制御する第１の記憶制御装置と、  前記第２の記憶領域を制御する第２の記憶制御装置と、 を備え、  記第１の記憶制御装置は、前記第１の記憶領域に対して送られた第１の書き込み要求に従って、前記第１の記憶領域に対してデータの書き込みを行う一方、前記第２の記憶制御装置に対して前記第１の書き込み要求を転送するものであり、前記第２の記憶制御装置は、前記第１の記憶制御装置から受けた前記第１の書き込み要求に従って前記第２の記憶領域に対してデータを書き込む動作を行いながら、前記第２の記憶領域に対して送られた第２の書き込み要求を、前記第１の記憶制御装置に対して転送するものであることを特徴とする記憶システム。    【請求項２】  請求項１記載の記憶システムにおいて、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送するものであることを特徴とする記憶システム。    【請求項３】  請求項２記載の記憶システムにおいて、前記第２の記憶制御装置は、前記第１の記憶制御装置から送られた第２の書き込み要求に従って、前記第２の記憶領域に対してデータを書き込むものであることを特徴とする記憶システム。    【請求項４】 送られた情報を格納する第１の記憶領域と、前記第１の記憶領域を制御する第１の記憶制御装置とを有する記憶システムであって、 送られた情報を格納する第２の記憶領域と、前記第２の記憶領域を制御する第２の記憶制御装置とを有する他の記憶システムに接続され、  前記第１の記憶制御装置は、前記第１の記憶領域に対して送られた第１の書き込み要求に従って、前記第１の記憶領域に対してデータの書き込みを行う一方、前記第１の記憶制御装置は、前記第２の記憶領域に書き込むための前記第１の書込み要求を、前記第２の記憶制御装置へ転送する一方、前記第１の記憶制御装置は、前記第２の記憶領域に対して送られた第２の書き込み要求を受け取るものであることを特徴とする記憶システム。    【請求項５】 請求項４記載の記憶システムにおいて、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送するものであることを特徴とする記憶システム。    【請求項６】 請求項５記載の記憶システムにおいて、  前記第２の記憶制御装置は、前記第１の記憶制御装置から送られた第２の書き込み要求に従って、前記第２の記憶領域に対してデータを書き込むものであることを特徴とする記憶システム。    【請求項７】 送られた情報を格納する第２の記憶領域と、前記第２の記憶領域を制御する第２の記憶制御装置とを有する記憶システムであって、 送られた情報を格納する第１の記憶領域と、前記第１の記憶領域を制御する第１の記憶制御装置とを有する他の記憶システムに接続され、  前記第２の記憶制御装置は、前記第１の記憶領域に対して送られた第１の書���込み要求に従って前記第２の記憶領域にデータを書き込む一方、前記第２の記憶制御装置は、前記第２の記憶領域に対して送られた第２の書き込み要求を、前記第１の記憶制御装置に対して転送するものであることを特徴とする記憶システム。    【請求項８】 請求項７記載の記憶システムにおいて、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送するものであることを特徴とする記憶システム。    【請求項９】 請求項８記載の記憶システムにおいて、  前記第２の記憶制御装置は、前記第１の記憶制御装置から送られた第２の書き込み要求に従って、前記第２の記憶領域に対してデータを書き込むものであることを特徴とする記憶システム。    【請求項１０】  送られた情報を格納する第１の記憶領域と、前記第１の記憶領域を制御する第１の記憶制御装置とを有する第１の記憶システム及び、送られた情報を格納する第２の記憶領域と、前記第２の記憶領域を制御する第２の記憶制御装置とを有する第２の記憶システムとを有する記憶システム群に利用されるデータ転送方法であって、  前記第１の記憶制御装置は、  前記第１の記憶領域に対して送られた第１書き込み要求を受け取り、  前記第１の書き込み要求に従って、前記第１の記憶領域に要求された情報を書き込む一方、前記第２の記憶制御装置に対して前記第１の書き込み要求を転送し、  前記第２の記憶制御装置は、  前記第１の記憶装置から送られた前記第１の書き込み要求を受け取り、  前記第１の書き込み要求に従って、前記第２の記憶領域に要求された情報を書き込みつつ、前記第２の記憶領域に対して送られた第２の書き込み要求を受け取り、  前記第１の記憶制御装置へ前記第２の書き込み要求を転送する、  ことを特徴とするデータ転送方法。    【請求項１１】  請求項１０記載のデータ転送方法において、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送することを特徴とするデータ転送方法。    【請求項１２】  請求項１０記載のデータ転送方法において、  前記第２の記憶制御装置は、前記第１の記憶制御装置から送られた第２の書き込み要求に従って、前記第２の記憶領域に対してデータを書き込むことを特徴とするデータ転送方法。    【請求項１３】  送られた情報を格納する第１の記憶領域と、前記第１の記憶領域を制御する第１の記憶制御装置とを有する第１の記憶システム及び、送られた情報を格納する第２の記憶領域と、前記第２の記憶領域を制御する第２の記憶制御装置とを有する第２の記憶システムとを有する記憶システム群に利用されるデータ転送方法であって、  前記第１の記憶制御装置は、  前記第１の記憶領域に対して送られた第１の書き込み要求を受け取り、前記第１の書き込み要求に従って、前記第１の記憶領域に要求された情報を書き込む一方、転送するための前記第１の書き込み要求を転送しつつ、前記第２の記憶領域に対して送られた第２の書き込み要求を前記第１の記憶��御装置へ転送することを特徴とするデータ転送方法。    【請求項１４】  請求項１３記載のデータ転送方法において、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送することを特徴とするデータ転送方法。    【請求項１５】  請求項１４記載のデータ転送方法において、  前記第２の記憶制御装置は、前記第１の記憶制御装置から送られた第２の書き込み要求に従って、前記第２の記憶領域に対してデータを書き込むことを特徴とするデータ転送方法。    【請求項１６】  送られた情報を格納する第１の記憶領域と、前記第１の記憶領域を制御する第１の記憶制御装置とを有する第１の記憶システム及び、送られた情報を格納する第２の記憶領域と、前記第２の記憶領域を制御する第２の記憶制御装置とを有する第２の記憶システムとを有する記憶システム群に利用されるデータ転送方法であって、  前記第２の記憶制御装置は、  前記第１の記憶領域に対して送られた第１の書き込み要求を受け取り、  前記第２の記憶領域に書き込む一方、前記第２の記憶領域に対して送られた第２の書き込み要求を受け取り、  前記第１の記憶制御装置に対して転送する、  ことを特徴とするデータ転送方法。    【請求項１７】  請求項１６記載のデータ転送方法において、  前記第１の記憶制御装置は、前記第２の記憶制御装置から送られた第２の書き込み要求に従って、前記第１の記憶領域に対してデータを書き込む一方、前記第２の記憶制御装置に対して前記第２の書き込み要求を転送することを特徴とするデータ転送方法。    【請求項１８】  請求項１６記載のデータ転送方法において、  前記第２の記憶制御装置は、前記第１の記憶制御装置から送られた第２の書き込み要求に従って、前記第２の記憶領域に対してデータを書き込むことを特徴とするデータ転送方法。    【請求項１９】  送られた情報を格納する第１の記憶領域と、  前記第１の記憶領域を制御する第１の記憶制御装置と、  前記第１の記憶制御装置内の第１の接続手段と、  送られた情報を格納する第２の記憶領域と、  前記第２の記憶領域を制御する第２の記憶制御装置と、  前記第２の記憶制御装置内の第２の接続手段と、 を備え、 前記第１の記憶制御装置は、前記第１の接続手段と前記第１の記憶領域との間でデータを転送する第１の経路と、前記第１の記憶領域と前記第２の記憶制御装置との間でデータを転送する第２の経路とを有し、 前記第２の記憶制御装置は、前記第１の記憶制御装置と前記第２の記憶領域との間でデータを転送する第３の経路と、前記第２の接続手段と前記第１の記憶制御装置との間でデータを転送する第４の経路とを有することを特徴とする記憶システム。    【請求項２０】  請求項１９記載の記憶システムにおいて、  前記第１の記憶制御装置は、前記第１の記憶領域に対して送られた第１の書き込み要求を前記第１の経路を介して前記第１の記憶領域に書き込む一方、前記第１の書き込み要求を前記第２の経路を介して前記第２の記憶制御装置へ転送するものであることを特徴とする記憶システム。    【請求項２１】  請求項１９記載の記憶システムにおいて、  前記第２の記憶制御装置は、前記第１の記憶領域に対して送られた第１の書き込み要求を前記第３の経路を介して前記第２の記憶領域に書き込む一方、前記第２の記憶領域に対して送られた第２の書き込み要求を、前記第４の経路を介して前記第１の記憶制御装置に前記第２の書き込み要求を転送するものであることを特徴とする記憶システム。    【請求項２２】  送られた情報を格納する第１の記憶領域と、  前記第１の記憶領域を制御し第２の記憶制御装置と接続された第１の記憶制御装置と、  前記第１の記憶制御装置内の第１の接続手段と、  前記第１の接続手段と前記第１の記憶領域との間で、データを転送する第１の転送経路と、  前記第１の記憶領域と前記第２の記憶制御装置との間で、データを転送する第２の転送経路と、  を有するものであることを特徴とする記憶システム。    【請求項２３】  請求項２２記載の記憶システムにおいて、  前記第１の記憶制御装置は、前記第１の記憶領域に対して送られた第１の書き込み要求を前記第１の経路を介して前記第１の記憶領域に書き込む一方、前記第１の書き込み要求を前記第２の経路を介して前記第２の記憶制御装置へ転送するものであることを特徴とする記憶システム。    【請求項２４】  請求項２２記載の記憶システムにおいて、  前記第２の記憶制御装置は、前記第１の記憶領域に対して送られた第１の書き込み要求を前記第２の経路を介して受け取り、前記第２の記憶領域に書き込むものであることを特徴とする記憶システム。    【請求項２５】  送られた情報を格納する第１の記憶領域と、  前記第１の記憶領域を制御する第１の記憶制御装置と、  前記第１の記憶制御装置内の第１の接続手段と、  送られた情報を格納する第２の記憶領域と、  前記第２の記憶領域を制御する第２の記憶制御装置と、  前記第２の記憶制御装置内の第２の接続手段と、 前記第２の接続手段と前記第１の記憶制御装置との間でデータを転送する第１の転送経路と、  前記第１の記憶制御装置と前記第２の記憶領域との間でデータを転送する第２の転送経路と、  を有するものであることを特徴とする記憶システム。    【請求項２６】  請求項２５記載の記憶システムにおいて、  前記第２の記憶制御装置は、前記第１の記憶領域に対して送られた第１の書き込み要求を前記第２の経路を介して前記第２の記憶領域に書き込む一方、第２の記憶領域に対して送られた第２の書き込み要求を前記第１の経路を介して前記第１の記憶制御装置へ転送するものであることを特徴とする記憶システム。    【請求項２７】  請求項２５記載の記憶システムにおいて、  前記第２の記憶制御装置は、前記第１の記憶領域に対して送られた第１の書き込み要求を前記第２の経路を介して受け取り、前記第２の記憶領域に書き込むものであることを特徴とする記憶システム。    【請求項２８】 送られた情報を格納する第１の記憶領域を制御する記憶制御装置であって、 送られた情報を格納する第２の記憶領域と、前記第２の記憶領域を制御する第２の記憶制御装置とを有する他の記憶システムに接続され、 前記第１の記憶領域に対して送られた第１の書き込み要求を前記第１の記憶領域に書き込む一方、前記第２の記憶領域に対して送られた第２の書き込み要求を受け取り、前記第１の記憶領域��書き込むものであることを特徴とする記憶制御装置。    【請求項２９】 送られた情報を格納する第２の記憶領域を制御する記憶制御装置であって、 送られた情報を格納する第１の記憶領域と、前記第１の記憶領域を制御する第１の記憶制御装置とを有する他の記憶システムに接続され、 前記第１の記憶領域に対して送られた第１の書き込み要求を受け取り、前記第２の記憶領域に書き込む一方、前記第２の記憶領域に対して送られた第２の書き込み要求を受け取り、前記第２の書き込み要求を前記第１の記憶制御装置に転送するものであることを特徴とする記憶制御装置。    【請求項３０】 第一のホストコンピュータと、 前記第一のホストコンピュータに記憶領域を提供する正ボリュームと、 前記正ボリュームへのデータの読み書きを制御する第１の記憶制御装置と、 第二のホストコンピュータと、 前記第二のホストコンピュータに記憶領域を提供するとともに前記正ボリュームとコピーペアを形成する副ボリュームと、 前記副ボリュームへのデータの読み書きを制御する第２の記憶制御装置と、 を備え、 前記第１の記憶制御装置は、前記第１のホストコンピュータから前記正ボリュームへの第１の書き込み要求に応答して前記正ボリュームにデータを書き込む一方、前記第２の記憶制御装置に前記第１の書き込み要求を転送し、前記第２の記憶制御装置は、前記第１の記憶制御装置から受信した前記第１の書き込み要求に応答して前記副ボリュームにデータを書き込み、 前記第２の記憶制御装置は、前記第２のホストコンピュータから前記副ボリュームへの第２の書き込み要求を前記第１の記憶制御装置に転送し、前記第１の記憶制御装置は、前記第２の記憶制御装置から受信した前記第２の書き込み要求に応答して前記正ボリュームにデータを書き込む一方、前記第２の記憶制御装置に前記第２の書き込み要求を転送し、前記前記第２の記憶制御装置は、前記第１の記憶制御装置から受信した前記第２の書き込み要求に応答して前記副ボリュームにデータを書き込む、記憶システム。